(57)【特許請求の範囲】
【請求項１】
筐体の一面に設けられ第１の方向に延びる溝部と、
前記溝部の一端部に接続し前記第１の方向と交わる第２の方向に延びるスリットと、
前記筐体の前記一面に対し反対となる他面から前記一面から離れる方向に突出形成された立壁部と、
金属の線状材から形成され、前記溝部に収容された基部と、前記基部の一端から前記第２の方向に折れ曲がり前記スリットに収容された立ち上がり部と、前記他面と対向する位置にあり、かつ前記立ち上がり部の一端から前記他面から離れる方向に傾斜延出する傾斜腕部を有すると共に前記他面に対し離接する方向に弾性変形可能な腕部と、を有するアンテナと、
前記腕部に対向し前記他面と反対側に配置された基板と、
を備え、
前記アンテナは、前記腕部が前記他面に接近する弾性変形によって前記基板に付勢当接して前記基板と電気接続し、
前記立壁部は、前記立ち上がり部の前記スリットからの離脱を、前記腕部との当接で防止することを特徴とするアンテナ取付構造。
【請求項２】
前記腕部は、前記立ち上がり部の前記一端と前記傾斜腕部との間に前記基部と平行な直腕部を有することを特徴とする請求項１記載のアンテナ取付構造。
【請求項３】
基板及び画像表示デバイスを収容し把持可能な筐体と、
前記筐体の内側に取り付けられ前記基板と電気接続されたアンテナと、
を備え、
前記筐体は、
一面に設けられ第１の方向に延びる溝部と、
前記溝部の一端部に接続し前記第１の方向と交わる第２の方向に延びるスリットと、
前記筐体の前記一面に対し反対となる他面から前記一面から離れる方向に突出形成された立壁と、を有し、
前記アンテナは、
金属の線状材から形成され、前記溝部に収容された基部と、前記基部の一端から前記第２の方向に折れ曲がり前記スリットに収容された立ち上がり部と、前記他面と対向する位置にあり、かつ前記立ち上がり部の一端から前記他面から離れる方向に傾斜延出する傾斜腕部を有すると共に前記他面に対し離接する方向に弾性変形可能な腕部と、を有し、
前記基板は、前記腕部に対向し前記他面と反対側に配置されており、
前記アンテナは、前記腕部が前記他面に接近する弾性変形によって前記基板に付勢当接して前記基板と電気接続し、
前記立壁は、前記立ち上がり部の前記スリットからの離脱を、前記腕部との当接で防止するよう構成されていることを特徴とする携帯無線機。
【請求項４】
前記画像表示デバイスにおける画像を表示する画像表示面と前記溝部とを覆う光透過性の保護プレートを備えていることを特徴とする請求項３記載の携帯無線機。
【請求項５】
前記腕部は、前記立ち上がり部の前記一端と前記傾斜腕部との間に前記基部と平行な直腕部を有することを特徴とする請求項３又は請求項４記載の携帯無線機。
【発明の詳細な説明】
【技術分野】
【０００１】
本発明は、アンテナ取付構造及び携帯無線機に係り、特に、線状アンテナを内蔵する携帯無線機と、その線状アンテナを携帯無線機の筐体内部に取り付けるアンテナ取付構造と、に関する。
【背景技術】
【０００２】
無線受信機に内蔵される線状のアンテナ取付構造について、特許文献１に記載されている。
特許文献１に記載されたアンテナ取付構造は、線状のアンテナの一部に嵌合させた保持具を本体側のプリント板に保持させて機械的に固定する一方、線状アンテナにコネクタを有する板状のプリント部を一体化させ、そのプリント部のコネクタをプリント基板のコネクタに装着して電気接続を得る構造となっている。
【先行技術文献】
【特許文献】
【０００３】
【特許文献１】特許第２６９０６５１号公報
【発明の概要】
【発明が解決しようとする課題】
【０００４】
近年、携帯無線機として、筐体から突出させた通常通信のためのアンテナに加え、ブルートゥース（登録商標）機器とも通信を可能にするためのブルートゥース用のアンテナを内蔵したものが製品化されている。
【０００５】
この内蔵するアンテナの取付構造として特許文献１に記載された構造を採用することが検討されるが、以下の点で改善が必要となる。
すなわち、特許文献１に記載された構造は、アンテナ自体は線状であっても、アンテナと一体化された板状のプリント部を有し、プリント部にはプリント板の回路パターンとの電気接続を得るためのコネクタが設けられている。従って、アンテナを内蔵させるための空間がかなりの程度必要であり、省スペース化が容易ではない。
また、アンテナを固定するために、線状のアンテナ部の一部に嵌合しプリント板に保持させる保持具が必要であり、省スペース化及び低コスト化が容易ではない。
【０００６】
携帯無線機は、小型化が進む一方、搭載する画像表示デバイスは相対的に大型化してきている。この画像表示デバイスは、通常、金属のシールドケースで覆われて表示デバイスユニットを構成しており、筐体内に内蔵するアンテナは、受信感度を十分に確保するため、表示デバイスユニットに対し厚さ方向（画面表裏方向）に重ならないように納められていることが望まれる。
従って、筐体内において、内蔵アンテナを収容できるスペースは狭く限定されており、如何にアンテナの占有スペースを省スペース化し、かつ基板に設けられた回路パターンとの電気接続を良好に行えるか、が課題となっている。
【０００７】
そこで、本発明が解決しようとする課題は、アンテナを筐体内に省スペースで収容しアンテナと基板の回路パターンとの良好な電気接続を可能とするアンテナ取付構造及び携帯無線機を提供することにある。
【課題を解決するための手段】
【０００８】
上記の課題を解決するために、本発明は次の構成を有する。
１）  筐体の一面に設けられ第１の方向に延びる溝部と、
前記溝部の一端部に接続し前記第１の方向と交わる第２の方向に延びるスリットと、
前記筐体の前記一面に対し反対となる他面から前記一面から離れる方向に突出形成された立壁部と、
金属の線状材から形成され、前記溝部に収容された基部と、前記基部の一端から前記第２の方向に折れ曲がり前記スリットに収容された立ち上がり部と、前記他面と対向する位置にあり、かつ前記立ち上がり部の一端から前記他面から離れる方向に傾斜延出する傾斜腕部を有すると共に前記他面に対し離接する方向に弾性変形可能な腕部と、を有するアンテナと、
前記腕部に対向し前記他面と反対側に配置された基板と、
を備え、
前記アンテナは、前記腕部が前記他面に接近する弾性変形によって前記基板に付勢当接して前記基板と電気接続し、
前記立壁部は、前記立ち上がり部の前記スリットからの離脱を、前記腕部との当接で防止することを特徴とするアンテナ取付構造である。
２）  前記腕部は、前記立ち上がり部の前記一端と前記傾斜腕部との間に前記基部と平行な直腕部を有することを特徴とする１）に記載のアンテナ取付構造である。
３）  基板及び画像表示デバイスを収容し把持可能な筐体と、
前記筐体の内側に取り付けられ前記基板と電気接続されたアンテナと、
を備え、
前記筐体は、
一面に設けられ第１の方向に延びる溝部と、
前記溝部の一端部に接続し前記第１の方向と交わる第２の方向に延びるスリットと、
前記筐体の前記一面に対し反対となる他面から前記一面から離れる方向に突出形成された立壁と、を有し、
前記アンテナは、
金属の線状材から形成され、前記溝部に収容された基部と、前記基部の一端から前記第２の方向に折れ曲がり前記スリットに収容された立ち上がり部と、前記他面と対向する位置にあり、かつ前記立ち上がり部の一端から前記他面から離れる方向に傾斜延出する傾斜腕部を有すると共に前記他面に対し離接する方向に弾性変形可能な腕部と、を有し、
前記基板は、前記腕部に対向し前記他面と反対側に配置されており、
前記アンテナは、前記腕部が前記他面に接近する弾性変形によって前記基板に付勢当接して前記基板と電気接続し、
前記立壁は、前記立ち上がり部の前記スリットからの離脱を、前記腕部との当接で防止するよう構成されていることを特徴とする携帯無線機である。
４）  前記画像表示デバイスにおける画像を表示する画像表示面と前記溝部とを覆う光透過性の保護プレートを備えていることを特徴とする２）に記載の携帯無線機である。
５）  前記腕部は、前記立ち上がり部の前記一端と前記傾斜腕部との間に前記基部と平行な直腕部を有することを特徴とする３）又は４）に記載の携帯無線機である。
【発明の効果】
【０００９】
本発明によれば、アンテナを筐体内に省スペースで収容でき、アンテナと基板の回路パターンとの良好な電気接続が可能になる。
【図面の簡単な説明】
【００１０】
【図１】図１は、本発明の実施の形態に係る携帯無線機の実施例である無線機５１を説明するための前面図である。
【図２】図２は、図１におけるＳ２−Ｓ２位置での部分断面図である。
【図３】図３は、無線機５１が備えるアンテナ８を説明するための二面図である。
【図４】図４は、無線機５１の前筐体１におけるアンテナ保持部ＡＨを説明するための部分斜視図である。
【図５】図５は、アンテナ保持部ＡＨを説明するための他の部分斜視図である。
【図６】図６は、図１におけるＳ６−Ｓ６位置での部分断面図である。
【図７】図７は、アンテナ保持部ＡＨへのアンテナ８の取付方法を説明するための第１の部分斜視図である。
【図８】図８は、アンテナ保持部ＡＨへのアンテナ８の取付方法を説明するための第２の部分斜視図である。
【図９】図９は、アンテナ保持部ＡＨへのアンテナ８の取付方法を説明するための第３の部分斜視図である。
【図１０】図１０は、アンテナ８とアンテナ入力パッド部４ｂとの電気接続を説明するための図である。
【発明を実施するための形態】
【００１１】
図１は、実施例の無線機５１を説明するための概略前面図である。図２は、図１におけるＳ２−Ｓ２位置での部分断面図である。
以下の説明において、上下左右の各方向は、図１に矢印で規定した方向とする。また、前後方向は図１の紙面直交方向であり、表面側が前方、裏面側が後方となる。
【００１２】
図１及び図２に示されるように、無線機５１は、筐体を把持可能な携帯型の無線機（携帯無線機）５１である。筐体は、前後方向に二分割して組み合わされた前側の前筐体１と、後側の後筐体２と、からなる。
前筐体１と後筐体２とにより、内部に、表示デバイスユニット３，基板４，スピーカユニット５（図１参照），及びアルミニウム製のシャーシ６が収容されている。
【００１３】
図２に示されるように、前筐体１の上部には、矩形の凹部１ｄが設けられ、その底部１ｄ１には、矩形の開口部１ａが形成されている。
凹部１ｄには、光透過性を有する板状の保護プレート７が嵌め込まれ、底部１ｄ１に接着剤や両面テープなどにより固定されている。
保護プレート７は、無線機５１の意匠上のアクセントとして、かつ表示デバイスユニット３の画像表示部３ａ１（後述）を保護するために取り付けられる。
底部１ｄ１に設けられた溝部１ｄ３には、アンテナ８の基部８ａ（図３参照：詳細は後述）が収容されており、保護プレート７は、基部８ａの前方への移動を防止している。
【００１４】
画像表示デバイスとしての表示デバイスユニット３は、表示デバイス３ａと、表示デバイス３ａを覆う金属のシールドケース３ｂと、表示デバイスが実装されたドライブ基板３ｃと、で構成されている。金属のシールドケース３ｂは、扁平の箱状に形成されている。
【００１５】
表示デバイス３ａは、前側に文字や画像を表示する画像表示部３ａ１を有する。画像表示部３ａ１に表示された文字や画像は、保護プレート７を通して外部から視認可能である。
保護プレート７の後面７ａには、画像表示部３ａ１以外の部分が外部から視認されないように、黒色インクなどの印刷によって目隠し部７ｂが形成されている。
【００１６】
基板４は、表示デバイス３ａに対する後方側に位置し、シールドケース３ｂに設けられた爪（図示せず）が係合して、表示デバイスユニット３と一体化されている。基板４には、無線機５１の動作のための回路などが搭載され、前面４ａには、アンテナ入力パッド部４ｂ（図１０参照）を含む回路パターンが設けられている。
【００１７】
基板４の上方端位置は、少なくとも、アンテナ８の頂部Ｐ１（図３参照）に対応する部分において、頂部Ｐ１の後方側まで延びている（図２の二点鎖線参照）。
【００１８】
図２において、底部１ｄ１は、先端側において下方へ延びるリブ部１ｄ２を有する。
また、底部１ｄ１の一面である前面１ｄ１ａには、後方に向け抉れた溝部１ｄ３が形成されている。この例において、溝部１ｄ３の断面形状は、矩形状とされている。溝部１ｄ３の断面形状は、矩形状に限定されず、例えば円弧状であってもよい。
【００１９】
無線機５１においては、溝部１ｄ３に、棒材から形成されたアンテナ８の基部８ａ（図３参照）が収容されている（詳細は後述する）。
【００２０】
シャーシ６は、外周縁部近傍に全周に亘る周壁部６ａを有している。この周壁部６ａと前筐体１のリブ部１ｄ２とは、上下方向又は左右方向に隣接対向するようになっている。そして、周壁部６ａとリブ部１ｄ２の間には、環状のパッキング９が嵌められており、無線機５１として、外部から内部への水や塵埃の進入が防止されている。
【００２１】
次にアンテナ８について詳述する。
図３は、アンテナ８を説明するための二面図である。
図３（ａ）が、アンテナ８を無線機５１に装着した装着状態での下面図に相当し、図３（ｂ）が、装着状態での前面図に相当する。図３（ａ），（ｂ）には、図１及び図２に示された方向に対応した方向を便宜的に記載してある。
【００２２】
アンテナ８は、線状又は棒状と称される細い金属部材（以下、線状材と称する）を一平面に沿って複数箇所で折り曲げた形状を呈する。アンテナ８は、例えば直径０．５ｍｍのピアノ線を曲げ加工して形成されている。
【００２３】
図３（ａ）に示されるように、アンテナ８は、直状の基部８ａと、基部８ａの右方端から後方に向けほぼ９０°に折れ曲がって前後方向に延びる立ち上がり部８ｂと、を有する。
アンテナ８は、さらに、立ち上がり部８ｂの後端から右方に向け折れ曲がって左右方向に延びる直腕部８ｃと、直腕部８ｃの右端から後方に傾斜して延びる傾斜腕部８ｄと、傾斜腕部８ｄの左後端からほぼ９０°に折れ曲がって前右方に延びる折り返し部８ｅと、を有する。
直腕部８ｃと傾斜腕部８ｄとを含む部分を腕部８ｆと称する。
【００２４】
直腕部８ｃに対する傾斜腕部８ｄの傾斜角度θａは、例えば５５°とされる。
傾斜腕部８ｄと折り返し部８ｅとの交わる折れ曲がり部位の後方側の頂部を頂部Ｐ１とする。
立ち上がり部８ｂと直腕部８ｃとが交わる角部を角部Ｐ２とする。
直腕部８ｃと傾斜腕部８ｄとが交わる屈曲部位を屈曲部Ｐ３とする。
基部８ａに対する立ち上がり部８ｂの折れ曲がり角度は限定されず、基部８ａの延在方向に交わる方向であればよい。直腕部８ｃは、立ち上がり部８ｂの折れ曲がり角度によらず、基部８ａと平行であればよい。
【００２５】
アンテナ８の、基部８ａに沿う方向（左右方向）の全長を長さＬとすると、
基部８ａの長さＬ１は、長さＬに対し、例えば約７３％の長さで形成されている。また、直腕部８ｃの左右方向の長さＬ２は、長さＬに対し、例えば約１４．５％の長さで形成されている。
【００２６】
底部１ｄ１に形成された溝部１ｄ３の深さ及び幅は、アンテナ８の基部８ａの外径以上となるよう設定されている。そのため、溝部１ｄ３にアンテナ８の基部８ａを奥まで収めたときに、基部８ａが底部１ｄ１の前面１ｄ１ａから突出しないようになっている。
【００２７】
次に、前筐体１におけるアンテナ８の取付構造（アンテナ取付構造ＴＫ）と、アンテナ８の取付方法について図４〜図６を主に参照して説明する。
図４は、前筐体１の単体の、図１における左上前部分Ａを、右下斜め前方からみた部分斜視図である。図２の断面位置に対応するＳ２−Ｓ２位置も示してある。
図５は、前筐体１の単体の、上部の左右方向の中央部を、左下斜め後方からみた部分斜視図である。すなわち、図４における矢視Ｙａに相当する図である。
図６は、図１におけるＳ６−Ｓ６位置での部分断面図であり、前筐体１に関しては、図４及び図５に示したＳ６−Ｓ６位置に相当する。詳しくは、後述する立壁部１ｄ６の後端部１ｄ６ｂの位置である。
【００２８】
図４に示されるように、底部１ｄ１の前面１ｄ１ａに抉られて形成されている溝部１ｄ３は、左右方向に延びる直状を呈している。
また、図４及び図５に示されるように、リブ部１ｄ２には、溝部１ｄ３の一端部である右方端部位置に対応して（接続して）、下端から上方に向け切り込まれ前後方向に延びるスリット１ｄ４が形成されている。溝部１ｄ３は、スリット１ｄ４に連結されている。スリット１ｄ４の形成方向は、左右方向に交わる方向であればよい。より詳しくは、溝部１ｄ３にアンテナ８の基部８ａを収容した状態で、立ち上がり部８ｂが進入可能な角度で形成されていればよい。
換言するならば、溝部１ｄ３の延在方向である左右方向を第１の方向とすると、スリット１ｄ４は、第１の方向に交わる方向に延びるものであり、例えば直交する方向（前後方向）とされる。
【００２９】
図５に示されるように、リブ部１ｄ２には、スリット１ｄ４を挟み、溝部１ｄ３の反対側となる右方側に、上下左右方向に延在する当て面１ｄ５ａを有する当て面部１ｄ５が形成されている。当て面１ｄ５ａは、底部１ｄ１において前面１ｄ１ａを一面としたときの他面に相当する。
当て面部１ｄ５の前後方向の位置は、溝部１ｄ３の最底部１ｄ３ａ（図２参照）の前後方向位置から、後方側に所定の距離ＬＳ（図６参照）だけ隔てられている。
この所定の距離ＬＳは、アンテナ８の基部８ａの後端位置と直腕部８ｃの前端位置との前後方向の距離Ｌ４（図３参照）よりも若干小さく設定されている。すなわち、ＬＳ＜Ｌ４である。
【００３０】
図５に示されるように、当て面部１ｄ５におけるスリット１ｄ４側の下方部には、左右方向に延び後方に向け突出する立壁部１ｄ６が形成されている。
立壁部１ｄ６の先端となる後端部１ｄ６ｂの前後方向位置は、溝部１ｄ３の最底部１ｄ３ａから後方に距離ＬＳ１（図６参照）だけ隔てられている。
距離ＬＳ１は、アンテナ８における距離Ｌ４よりも大きく設定されている。すなわち、Ｌ４＜ＬＳ１である。
立壁部１ｄ６の左方側の部分は、当て面１ｄ５ａから徐々に突出するよう傾斜したガイド部１ｄ６ａとされている。
【００３１】
前筐体１における、溝部１ｄ３，スリット１ｄ４，当て面部１ｄ５，及び立壁部１ｄ６を含んで、アンテナ保持部ＡＨが構成される。
【００３２】
次に、アンテナ保持部ＡＨへのアンテナ８の取付方法について、図７〜図９を主に参照して説明する。
図７〜図９は、図４における溝部１ｄ３とその近傍を、左下斜め上方から見た斜視図である。すなわち、図４における矢視Ｙｂ図である。
【００３３】
まず、作業者は、図７に示されるように、アンテナ８を上下左右方向に延在する平面に沿う姿勢（以下、装着開始姿勢と称する）とし、その基部８ａを溝部１ｄ３に対し前方側から挿入する（矢印ＤＲａ参照）。
このとき、立ち上がり部８ｂは、左右方向においてスリット１ｄ４に対応した位置とする。すなわち、立ち上がり部８ｂを、スリット１ｄ４の上端部から下方に向け延出させる。
溝部１ｄ３の長さは、基部８ａを挿入したこの状態で、左方端が基部８ａの先端よりも左方側にあるように設定されている。
【００３４】
この状態で、溝部１ｄ３に挿入された基部８ａは径方向（長手直交方向）にまだ若干量、移動可能である。左右方向の移動は、立ち上がり部８ｂがスリット１ｄ４に係合していることで、規制されている。
【００３５】
次に、作業者は、図８に示されるように、アンテナ８の立ち上がり部８ｂから折り返し部８ｅに至る部分を、基部８ａを軸として後方に向け回動させる（矢印ＤＲｂ参照）。
回動を進めて、立ち上がり部８ｂの全体がスリット１ｄ４に進入する直前になると、直腕部８ｃが、立壁部１ｄ６の先端側の部分に当接する。
これは、既述のように、図６に示される距離ＬＳ１が、アンテナ８の基部８ａの後端位置と直腕部８ｃの前端位置との前後方向の距離Ｌ４（図３参照）よりも若干大きく設定されていることによる。
【００３６】
そこで、作業者は、立ち上がり部８ｂと直腕部８ｃとが交わる角部Ｐ２を支点として、直腕部８ｃを含む先端側の部分を、後方側に弾性変形させる（矢印ＤＲｃ参照）。詳しくは、図３に示される距離Ｌ４を、角部Ｐ２を支点として広げる方向に変形させる。
この弾性変形によって、直腕部８ｃは立壁部１ｄ６の後端部１ｄ６ｂを乗り越えて当て面１ｄ５ａと対向する位置に達し、立ち上がり部８ｂは、スリット１ｄ４内に収められる。
【００３７】
図５を参照した既述のように、立壁部１ｄ６のスリット１ｄ４側の部分には、ガイド部１ｄ６ａが形成されている。
これにより、作業者は、腕部８ｆの弾性変形量を、ガイド部１ｄ６ａがない場合より少なくして、直腕部８ｃを後端部１ｄ６ｂに対して乗り越えさせることができる。従って、アンテナ８の装着作業を容易に行うことができる。
【００３８】
立壁部１ｄ６を乗り越えた腕部８ｆ（直腕部８ｃ）は、自然状態で再び立壁部１ｄ６を乗り越えて元に戻ることはない。
詳しくは、アンテナ８が、溝部１ｄ３に進入した基部８ａを中心に立ち上がり部８ｂがスリット１ｄ４から離脱しようとする方向に回動したときに、腕部８ｆが立壁部１ｄ６に当接してその回動を規制する。
これにより、腕部８ｆが立壁部１ｄ６を一度乗り越えてアンテナ保持部ＡＨに装着されれば、それ以降、アンテナ８が自然にアンテナ保持部ＡＨから外れることが防止され、安定的に保持される。
【００３９】
アンテナ８は、直腕部８ｃが当て面１ｄ５ａに対向する位置に達して、図９に示されるように、左右前後方向に延在する装着姿勢となる。装着姿勢は、装着開始姿勢から、基部８ａの軸を回動軸線として左方から見たときの時計回り方向で９０°回動させた姿勢である。
【００４０】
作業者は、このようにして前筐体１のアンテナ保持部ＡＨにアンテナ８を装着したら、凹部１ｄに保護プレート７を取り付ける。
凹部１ｄに取り付けられた保護プレート７によって、溝部１ｄ３は前方側から蓋をされた状態となる。そのため、アンテナ８は溝部１ｄ３内に収容された状態で維持される。基部８ａは、保護プレート７によって前後方向の位置ずれが良好に抑制され、安定した姿勢で保持される。
【００４１】
図６にも示されるように、装着姿勢において、基部８ａを後方側に寄せて溝部１ｄ３の最底部１ｄ３ａに当接させた状態で、直腕部８ｃと当て面１ｄ５ａとの間には、前後方向に距離Ｈ１の隙間が生じるようになっている。
【００４２】
作業者は、上述のようにアンテナ８及び保護プレート７を取り付けた前筐体１と、後筐体２と、を、それらの間にパッキング９、基板４などを挟んで組みつける。
既述のように、基板４の前面４ａに設けられた配線パターン（不図示）には、上部においてアンテナ８と電気接続するためのアンテナ入力パッド部４ｂが形成されている。
そして、図１０に二点鎖線で示されるように、前筐体１での装着姿勢でのアンテナ８の頂部Ｐ１の自然状態での前後方向位置は、基板４の前面４ａよりも後方側にあるようにアンテナ８の形状が設定されている。
【００４３】
そのため、アンテナ取付構造ＴＫでは、前筐体１と後筐体２とを組み付けると、アンテナ８の腕部８ｆの直腕部８ｃ及び傾斜腕部８ｄが、それぞれ角部Ｐ２及び屈曲部Ｐ３を根元として前方に弾性変形しながら（矢印ＤＲｄ，ＤＲｅ参照）、アンテナ入力パッド部４ｂに付勢当接する（実線図示）。
詳しくは、直腕部８ｃは、屈曲部Ｐ３が距離Ｈ１だけ変形し、屈曲部Ｐ３が当て面１ｄ５ａに当接した後は、傾斜腕部８ｄが屈曲部Ｐ３を支点として矢印ＤＲｅ方向（当て面１ｄ５ａに対し離接する方向）に弾性変形するようになっている。
【００４４】
この弾性変形に関し、アンテナ取付構造ＴＫでは、アンテナ８の腕部８ｆに直腕部８ｃを設けてあり、角部Ｐ２に対する頂部Ｐ１の位置を、左右方向にある程度離隔させることができている。
そのため、腕部８ｆの、アンテナ入力パッド部４ｂへの付勢当接に伴う弾性変形量（変形角度）を小さくすることができ、さらに、変形しろのばらつきに対応する付勢力のばらつきが抑制されるので、大量生産における信頼性がより向上する。
【００４５】
アンテナ取付構造ＴＫは、頂部Ｐ１のアンテナ入力パッド部４ｂへの当接によって、アンテナ８とアンテナ入力パッド部４ｂとが電気接続され、さらに頂部Ｐ１が弾性的にアンテナ入力パッド部４ｂを付勢することによって、電気接続がより安定する。
【００４６】
また、アンテナ取付構造ＴＫでは、アンテナ８は線状材から形成され、上下左右方向に延在する平面的形状を呈するのみであるから、前後方向に対し極めて省スペースで基板４との電気接続を良好に行うことができる。
すなわち、携帯型であってアンテナ取付構造ＴＫを有する無線機５１においては、シールドケース３ｂと前筐体１との上下方向のわずかなスペースでも、シールドケース３ｂと前後方向に重ならないようにアンテナ８を収容することができる。
【００４７】
上述のように、アンテナ取付構造ＴＫにおいて、アンテナ８は、アンテナ保持部ＡＨに対しアンテナ８を装着開始姿勢から弾性変形をさせつつ単に９０°回動させることで前筐体１に装着することができる。
そのため、作業者は、極めて容易にアンテナ８を前筐体１に取り付けることができる。
【００４８】
装着したアンテナ８は、保護プレート７によって、アンテナ保持部ＡＨに位置ずれがなく位置決めされる。
無線機５１において、前筐体１に装着されたアンテナ８は前後左右方向に延在する態様とされ、基板４の回路パターンを後方に弾性付勢して電気接続を得るようになっている。
【００４９】
アンテナ取付構造ＴＫは、アンテナ８を、前筐体１に省スペースで装着（収容）でき、コネクタを装着する作業を行うことなく、前筐体１と後筐体２とを組み付ける過程で、自ずとアンテナ８の腕部８ｆと基板４の回路パターンとの良好な電気接続がなされるようになっている。
従って、作業者の取付作業は電気接続の点でも極めて容易になっている。
【００５０】
本発明の実施例は、上述した構成に限定されるものではなく、本発明の要旨を逸脱しない範囲において変形例としてもよい。
【００５１】
無線機５１は、無線によって信号の授受を行う機器であればよい。いわゆる携帯電話及びタブレットなどの情報端末も含まれる。
アンテナ８の素材となる線材は、断面形状が円形のものに限定されない。楕円形、矩形、でもよい。
アンテナ８において、腕部８ｆには直腕部８ｃが必ずしも形成されていなくてもよい。すなわち、角部Ｐ２から傾斜腕部８ｄが延出しているものでもよいが、上述のように、付勢力の安定化の観点で、直腕部８ｃを形成しておくことは好ましい。
【符号の説明】
【００５２】
１  前筐体
１ａ  開口部、    １ｄ  凹部、    １ｄ１  底部、    １ｄ１ａ  前面
１ｄ２  リブ部、    １ｄ３  溝部、    １ｄ３ａ  最底部
１ｄ４  スリット、    １ｄ５  当て面部、    １ｄ５ａ  当て面
１ｄ６  立壁部、    １ｄ６ａ  ガイド部、    １ｄ６ｂ  後端部
２  後筐体
３  表示デバイスユニット
３ａ  表示デバイス、      ３ａ１  画像表示部
３ｂ  シールドケース、    ３ｃ  ドライブ基板
４  基板、    ４ａ  前面、    ４ｂ  アンテナ入力パッド部
５  スピーカユニット
６  シャーシ、    ６ａ  周壁部
７  保護プレート、    ７ａ  後面、    ７ｂ  目隠し部
８  アンテナ
８ａ  基部、    ８ｂ  立ち上がり部、    ８ｃ  直腕部
８ｄ  傾斜腕部、    ８ｅ  折り返し部、    ８ｆ  腕部
９  パッキング
５１  無線機
ＡＨ  アンテナ保持部
Ｌ，Ｌ１，Ｌ２  長さ、    ＬＳ，Ｌ４，Ｈ１  距離
Ｐ１  頂部、    Ｐ２  角部、    Ｐ３  屈曲部
ＴＫ  アンテナ取付構造
θａ  傾斜角度
【図１】
0006634885.tif 000002
【図２】
0006634885.tif 000003
【図３】
0006634885.tif 000004
【図４】
0006634885.tif 000005
【図５】
0006634885.tif 000006
【図６】
0006634885.tif 000007
【図７】
0006634885.tif 000008
【図８】
0006634885.tif 000009
【図９】
0006634885.tif 000010
【図１０】
0006634885.tif 000011